(57)【特許請求の範囲】
【請求項１】
挿入部の先端に開口する処置具挿通チャンネルと連通接続された処置具挿入口金が操作部に配置された構成の内視鏡の上記操作部を被覆する内視鏡の操作部汚染防止用カバー装置であって、
上記操作部を包むように柔軟な材料により形成されて上記処置具挿入口金の端部開口を外方に突出させるための孔が穿設されたカバーと、上記処置具挿入口金の端部開口が上記孔から上記カバーの外側に突出する状態に上記カバーと上記処置具挿入口金とを固定するための口金固定部材とが設けられていることを特徴とする内視鏡の操作部汚染防止用カバー装置。
【請求項２】
上記口金固定部材が、スリットが形成された弾力性のある材料からなる閉鎖膜を有する鉗子栓である請求項１記載の内視鏡の操作部汚染防止用カバー装置。
【発明の詳細な説明】
【０００１】
【発明の属する技術分野】
この発明は、内視鏡の操作部が使用中に汚染されないようにカバーをするための内視鏡の操作部汚染防止用カバー装置に関する。
【０００２】
【従来の技術】
内視鏡を介して患者から患者への感染が起きないようにするためには、内視鏡の操作部を汚染されないようにカバーすることが望ましい。
【０００３】
そこで、例えば特開平４−３２５１３８号に示されるように、操作部をシート状のカバーで包んだ状態で使用するようにしたものや、実開平６−６８７０８号に示されるように、操作部を包むカバーを袋状に形成して操作部全体を包み込むようにしたもの等がある。
【０００４】
そのような従来の内視鏡の操作部汚染防止用カバー装置においては、送気送水路や吸引路に連通接続された送気送水操作弁や吸引操作弁等が、操作部全体と共にカバーによってすっぽりと包み込まれるようになっている。
【０００５】
【発明が解決しようとする課題】
送気送水操作弁や吸引操作弁等は、一般に、送気送水路や吸引路の基端が接続されたシリンダ状の口金内にピストン状の管路切換部材が進退自在に配置された構成になっている。
【０００６】
したがって、例えば吸引操作弁の口金内には吸引路内を経由して挿入部の先端側から汚液が浸入してきており、切り換え弁のシールに僅かでも不具合が生じると汚液が口金からカバー内に漏れ出て、操作部が汚染されてしまう恐れがある。
【０００７】
そこで本発明は、挿入部の先端に開口する管路と連通接続されて操作部に配置された口金から汚液漏れが発生した場合でも、操作部が汚染される恐れのない衛生上の安全性の高い内視鏡の操作部汚染防止用カバー装置を提供することを目的とする。
【０００８】
【課題を解決するための手段】
上記の目的を達成するため、本発明の内視鏡の操作部汚染防止用カバー装置は、挿入部の先端に開口する管路と連通接続された口金が操作部に配置された構成の内視鏡の操作部を被覆する内視鏡の操作部汚染防止用カバー装置であって、操作部を包むように柔軟な材料により形成されて口金の端部開口を外方に突出させるための孔が穿設されたカバーと、口金の端部開口が孔からカバーの外側に突出する状態にカバーと口金とを固定するための口金固定部材とを設けたものである。
【０００９】
なお、管路が送気送水路又は吸引路であって、口金が送気送水操作弁のシリンダ又は吸引操作弁のシリンダであってもよく、管路が処置具を挿通させるための処置具挿通チャンネルであって、口金が処置具を挿入するための処置具挿入口金であってもよい。
【００１０】
【発明の実施の形態】
図面を参照して本発明の実施例を説明する。
図１は、内視鏡の操作部１０にカバー１が被せられた使用準備状態を示している。
【００１１】
操作部１０の下端に連結された挿入部１１内には、送気送水管路１２や処置具挿通チャンネル１３等が挿通配置されていて、それらの先端開口は挿入部１１の先端に配置されている。
【００１２】
操作部１０の上半部前面には、送気送水操作弁２０と吸引操作弁３０が並んで配置されており、送気送水操作弁２０には送気送水管路１２の基端が連通接続され、吸引操作弁３０には、処置具挿通チャンネル１３から分岐された吸引管１４が連通接続されている。
【００１３】
送気送水操作弁２０と吸引操作弁３０は、いずれも管路（送気送水管路１２、吸引管１４）が接続されたシリンダ状の口金２１，３１に、その端部開口側からピストン状の管路切換部材ユニット２２，３２（口金固定部材）が着脱自在に取り付けられて構成されている。
【００１４】
また、処置具挿通チャンネル１３の基端は操作部１０の下部に配置されていて、その入口部分に設けられた処置具挿入口金４１には、その端部開口側から鉗子栓４２が着脱自在に取り付けられている。なお、送気送水操作弁２０及び吸引操作弁３０と外部の送気送水装置及び吸引装置との間を接続する管路がライトガイドケーブル１５内に挿通配置されているが、その図示は省略されている。
【００１５】
カバー１は操作部１０にすっぽりと被せられるように形成されており、下端部には挿入部１１が通される孔２が形成され、後面側には、ライトガイドケーブル１５が通される袖状部３が形成されている。
【００１６】
なお、この実施例では、操作者の腕を袖状部３に通してカバー１内で操作部１０を直接握って保持できるようになっているが、袖状部３を細く形成してカバー１の外側から操作部１０を握るようにしたものであっても差し支えない。
【００１７】
図２は、送気送水操作弁２０と吸引操作弁３０の部分を示しており、１６は、操作部１０の側面に突設された湾曲操作ノブである。カバー１には、送気送水操作弁２０の口金２１と吸引操作弁３０の口金３１が各々通過する大きさの孔４，５が穿設されており、管路切換部材ユニット２２，３２はカバー１の外側から口金２１，３１に着脱される。
【００１８】
そして、図３に示されるように、カバー１の外側から管路切換部材ユニット２２，３２を口金２１，３１に対して例えば螺合させて取り付けると、管路切換部材ユニット２２，３２の太径部分によってカバー１が操作部１０の表面に押さえ付けられ、口金２１，３１の端部開口がカバー１の外側に突出した状態でカバー１と口金２１，３１とが固定された状態になる。そして、カバー１の孔４，５部分は縁部が全周にわたって押し潰されて封止された状態になる。
【００１９】
その結果、内視鏡が使用される状態においては、口金２１，３１がカバー１の外面に開口する状態になるので、口金２１，３１の端部開口から汚液が漏れ出すことがあっても、カバー１内の操作部１０は汚染されない。
【００２０】
図４は、処置具挿入口金４１の部分を示しており、鉗子栓４２に設けられた弾力性のあるゴム製の閉鎖膜にはスリット４２ａが形成されている。カバー１には、処置具挿入口金４１が通過する大きさの孔６が穿設されており、鉗子栓４２はカバー１の外側から処置具挿入口金４１に着脱される。
【００２１】
そして、図５に示されるように、カバー１の外側から鉗子栓４２を処置具挿入口金４１に対して例えば螺合させて取り付けると、鉗子栓４２によりカバー１が操作部１０の表面に押さえ付けられ、処置具挿入口金４１の端部開口がカバー１の外側に突出した状態でカバー１と処置具挿入口金４１とが固定された状態になる。
【００２２】
その結果、内視鏡が使用される状態においては、処置具挿入口金４１がカバー１の外面に開口する状態になるので、処置具挿入口金４１の端部開口から汚液が漏れ出すことがあっても、カバー１内の操作部１０は汚染されない。
【００２３】
なお、本発明は上記実施例に限定されるものではなく、例えば図６に示されるように、挿入部１１の先端に開口する管路（例えば副送水管）と連通接続された口金８１が操作部１０の頭部に位置する場合等でも、本発明を適用することができる。８２は、カバー１の外側から口金８１に着脱される蓋体である。
【００２４】
【発明の効果】
本発明の内視鏡の操作部汚染防止用カバー装置は、内視鏡の挿入部の先端に開口する管路と連通接続するように操作部に配置された口金の端部開口がカバーの外側に突出する状態にカバーと口金とを固定するための口金固定部材を設けたことにより、使用状態においては口金の端部開口がカバー外に位置するので、口金から汚液漏れがあっても操作部が汚染される恐れがなく、衛生上も安全性が高い。
【図面の簡単な説明】
【図１】本発明の実施例の内視鏡の操作部にカバーが被せられた使用準備状態の全体構成を示す側面透視図である。
【図２】本発明の実施例の内視鏡の操作部にカバーが被せられた操作弁付近の使用準備状態の部分側面透視図である。
【図３】本発明の実施例の内視鏡の操作部にカバーが被せられた操作弁付近の使用状態の部分側面透視図である。
【図４】本発明の実施例の内視鏡の操作部にカバーが被せられた処置具挿入部付近の  使用準備状態の部分側面透視図である。
【図５】本発明の実施例の内視鏡の操作部にカバーが被せられた処置具挿入部付近の  使用状態の部分側面透視図である。
【図６】本発明の他の実施例の使用準備状態の部分側面透視図である。
【符号の説明】
１  カバー
４，５，６  孔
１０  操作部
１１  挿入部
１２  送気送水管路
１３  処置具挿通チャンネル
１４  吸引管
２０  送気送水操作弁
２１  シリンダ状口金
２２  管路切換部材ユニット
３０  吸引操作弁
３１  シリンダ状口金
３２  管路切換部材ユニット
４１  処置具挿入口金
４２  鉗子栓
【図１】
0004010794.tif 000002
【図２】
0004010794.tif 000003
【図３】
0004010794.tif 000004
【図４】
0004010794.tif 000005
【図５】
0004010794.tif 000006
【図６】
0004010794.tif 000007